(57)【要約】【課題】  取り換え可能な複数のアタッチメントを有効に活用して、画像を異なる方向に投影するようにしたプロジェクタ、そのアタッチメント及びプロジェクタ本体を提供することを目的とする。【解決手段】  下方向投影用アタッチメントＰＪｂをプロジェクタ本体ＰＪａに組み付ける場合には、プロジェクタは、ランプ９０の光量を減光して机１０上のスクリーンＳａに向けて映像を投影する。また、水平方向投影用アタッチメントＰＪｃをプロジェクタ本体ＰＪａに組み付ける場合には、プロジェクタは、ランプ９０の光量を増光して垂直投影面であるスクリーンＳｂに向けて映像を投影する。【選択図】    図１
2007041178.tif 000002
【特許請求の範囲】
【請求項１】
画像を表示する表示手段と、この表示手段からの表示画像を光学的に投影する投影手段とを備えるプロジェクタにおいて、
少なくとも前記表示手段を内蔵するプロジェクタ本体と、
前記投影手段の少なくとも一部を内蔵するとともに前記プロジェクタ本体に着脱可能に組み付けられる複数のアタッチメントとを備えて、
前記複数のアタッチメントのうち少なくとも２つは、前記プロジェクタ本体に組み付けられたとき、前記表示手段からの表示画像に対する前記投影手段の投影方向を互いに異ならしめることを特徴とするプロジェクタ。
【請求項２】
前記複数のアタッチメントのうち少なくとも１つは、前記プロジェクタ本体に組み付けられたとき、前記投影手段の下方向及び上方向の少なくともいずれかの方向に向け、前記表示手段からの表示画像を前記投影手段により投影させることを特徴とする請求項１に記載のプロジェクタ。
【請求項３】
前記複数のアタッチメントのうち少なくとも１つは、前記プロジェクタ本体に組み付けられたとき、水平方向に向け、前記表示手段からの表示画像を前記投影手段により投影させることを特徴とする請求項１または２に記載のプロジェクタ。
【請求項４】
前記プロジェクタ本体に前記アタッチメントが組み付けられたとき、前記アタッチメントを識別する識別情報及び前記アタッチメントに関する情報の双方のうち少なくとも一方を検出するアタッチメント情報検出手段を備えることを特徴とする請求項１〜３のいずれか１つに記載のプロジェクタ。
【請求項５】
前記アタッチメントを識別する識別情報及び前記アタッチメントに関する情報の双方ののうち少なくとも一方を報知する情報報知手段を備えることを特徴とする請求項４に記載のプロジェクタ。
【請求項６】
前記アタッチメントを識別する識別情報及び前記アタッチメントに関する情報の双方のうち少なくとも一方に基づいて、前記表示手段による表示される画像を制御する画像制御手段を備えることを特徴とする請求項４または５に記載のプロジェクタ。
【請求項７】
請求項１〜６のいずれか１つに記載のプロジェクタに備えられる前記プロジェクタ本体に着脱可能に組み付けられるアタッチメント。
【請求項８】
請求項１〜６のいずれか１つに記載のプロジェクタに備えられるプロジェクタ本体。
【発明の詳細な説明】
【技術分野】
【０００１】
本発明は、プロジェクタ、そのアタッチメント及びプロジェクタ本体に関するものである。
【背景技術】
【０００２】
従来、この種のプロジェクタにおいては、例えば、下記特許文献１に開示されたプロジェクタがある。このプロジェクタでは、投影用光学系により投影される画像が反射ミラーにより投影方向が変えられるようなっており、種々の方向の投影面に向けて反射されるようになっている。ここで、投影面はプロジェクタの設置面に垂直になっている。
【特許文献１】特開２００２−０９０８７９号公報
【発明の開示】
【発明が解決しようとする課題】
【０００３】
ところで、上記プロジェクタは、通常、机上面または天井面に設置して使用される。このような使用状態では、当該プロジェクタは、机上面または天井面に対し垂直な投影面には正しい位置で画像を投影し得るとしても、机上面または天井面上の水平な投影面には正しい向きで画像を投影することはできないという不具合を招く。
【０００４】
そこで、本発明は、以上のようなことに対処するため、取り換え可能な投影方向等の異なる複数のアタッチメントを有効に活用して、画像を異なる方向に投影できるようにしたプロジェクタ、そのアタッチメント及びプロジェクタ本体を提供することを目的とする。
【課題を解決するための手段】
【０００５】
上記課題の解決にあたり、本発明に係るプロジェクタは、請求項１の記載によれば、
画像を表示する表示手段と、この表示手段からの表示画像を光学的に投影する投影手段とを備える。
【０００６】
当該プロジェクタにおいて、少なくとも表示手段を内蔵するプロジェクタ本体と、
投影手段の少なくとも一部を内蔵するとともにプロジェクタ本体に着脱可能に組み付けられる複数のアタッチメントとを備えて、
複数のアタッチメントのうち少なくとも２つは、プロジェクタ本体に組み付けられたとき、表示手段からの表示画像に対する投影手段の投影方向を互いに異ならしめることを特徴とする。
【０００７】
これにより、プロジェクタ本体の配設位置をそのまま維持しても、当該プロジェクタ本体に組み付けるアタッチメントを、所望の投影方向に応じて選択することで、当該投影方向に対応する投影面に向け投影できるようになる。言い換えれば、上記アタッチメントの選択次第で様々な方向の投影面に向け画像を投影できるようになる。
【０００８】
また、本発明は、請求項２の記載によれば、請求項１に記載のプロジェクタにおいて、
複数のアタッチメントのうち少なくとも１つは、プロジェクタ本体に組み付けられたとき、投影手段の下方向及び上方向の少なくともいずれかの方向に向け、表示手段からの表示画像を投影手段により投影させることを特徴とする。
【０００９】
これにより、複数のアタッチメントのうち少なくとも１つに投影手段の上方向または下方向に投影できるアタッチメントがあるので、そのアタッチメントを選択しプロジェクタ本体に組み付けることで、床やプロジェクタ設置面上または天井面に設置され、投影手段の上方向または下方向（例えば、鉛直方向の他、斜め前上方向または斜め前下方向等の略鉛直方向を含む）に対応する投影面にも表示手段からの表示画像を簡単に投影できるようになる。
【００１０】
また、本発明は、請求項３の記載によれば、請求項１または２に記載のプロジェクタにおいて、複数のアタッチメントのうち少なくとも１つは、プロジェクタ本体に組み付けられたとき、水平方向に向け、表示手段からの表示画像を投影手段により投影させることを特徴とする。
【００１１】
このように、複数のアタッチメントのうち少なくとも１つに水平方向に投影できるアタッチメントがあるので、そのアタッチメントを選択しプロジェクタ本体に組み付けることで、投影手段の水平方向への投影に対応する投影面、即ち、床または当該プロジェクタの設置面等の水平面に対し垂直に位置する面等の垂直投影面にも表示手段からの表示画像を簡単に投影できるようになる。
【００１２】
また、本発明は、請求項４の記載によれば、請求項１〜３のいずれか１つに記載のプロジェクタにおいて、
プロジェクタ本体にアタッチメントが組み付けられたとき、アタッチメントを識別する識別情報及びアタッチメントに関する情報の双方のうち少なくとも一方を検出するアタッチメント情報検出手段を備えることを特徴とする。
【００１３】
これによれば、請求項１〜３のいずれか１つに記載の発明の作用効果の達成にあたり、アタッチメントを識別する識別情報及びアタッチメントに関する情報の双方のうち少なくとも一方を上記アタッチメント情報検出手段により検出することで、プロジェクタ本体に組み付けられたアタッチメントの識別情報及びアタッチメントに関する情報の双方のうち少なくとも一方が得られる。
【００１４】
また、本発明は、請求項５の記載によれば、請求項４に記載のプロジェクタにおいて、
アタッチメントを識別する識別情報及びアタッチメントに関する情報の双方のうち少なくとも一方を報知する情報報知手段を備えることを特徴とする。
【００１５】
これにより、プロジェクタ本体に組み付けたアタッチメントの識別情報及びアタッチメントに関する情報の双方のうち少なくとも一方が、素早く認識され得る。その結果、請求項４に記載の発明の作用効果がより一層向上され得る。
【００１６】
また、本発明は、請求項６の記載によれば、請求項４または５に記載のプロジェクタにおいて、
アタッチメントを識別する識別情報及びアタッチメントに関する情報の双方のうち少なくとも一方に基づいて、表示手段による表示される画像を制御する画像制御手段を備えることを特徴とする。
【００１７】
これにより、識別情報で識別されたアタッチメントの識別情報及びアタッチメントに関する情報の双方のうち少なくとも一方が、投影手段の下方向への投影用アタッチメントに対応するものであれば、当該プロジェクタの投影距離が短いために、表示手段による表示画像の投影面上の明るさは、十分余裕があり、時として過度になりがちであることから、当該表示画像の輝度を低下させるように制御し得る。
【００１８】
このように制御すれば、投影手段の下方向への投影であっても、表示画像が、投影面上にて過度の明るさになるのを防いだり、適切な明るさの中で電力消費を抑制することができるようになる。
【００１９】
また、識別情報で識別されたアタッチメントの識別情報及びアタッチメントに関する情報の双方のうち少なくとも一方が、投影手段の上方向への投影用または投影手段の水平方向への投影用のアタッチメントに対応するものであれば、プロジェクタの投影距離が長いために、表示手段による表示画像の投影面上の明るさが不足しがちであることから、表示手段による表示画像の輝度を高くするように制御し得る。
【００２０】
このように制御すれば、投影手段の上方向への投影または投影手段の水平方向への投影であっても、表示画像が、投影面上において、明るさの不足を伴うことなく良好な明るさとなり、見易くなる。
【００２１】
また、本発明に係るアタッチメントは、請求項７の記載によれば、請求項１〜６のいずれか１つに記載のプロジェクタに備えられる上記プロジェクタ本体に着脱可能に組み付けられるアタッチメントである。
【００２２】
これにより、請求項１〜６のいずれか１つに記載の発明の作用効果を達成するプロジェクタに適したアタッチメントとして、新たな仕様（例えば新たな投影方向へ）の投影を可能ならしめるアタッチメントの追加提供が可能となる。
【００２３】
また、本発明に係るプロジェクタ本体は、請求項８の記載によれば、請求項１〜６のいずれか１つに記載のプロジェクタに備えられるプロジェクタ本体である。
【００２４】
これにより、請求項１〜６のいずれか１つに記載の発明の作用効果を達成するプロジェクタに適したプロジェクタ本体として新たな仕様（例えば新たな投影方向へ）の投影を可能ならしめるプロジェクタ本体の追加提供が可能となる。
【発明を実施するための最良の形態】
【００２５】
以下、本発明の一実施形態を図面により説明する。
【００２６】
図１〜図７は、本発明に係るプロジェクタの一実施形態を示している。このプロジェクタは、図１または図４にて示すごとく、プロジェクタ本体ＰＪａと、このプロジェクタ本体ＰＪａに着脱可能に組み付けられる下方向投影用アタッチメントＰＪｂ及び水平方向投影用アタッチメントＰＪｃとを備えている。本実施形態において、上記下方向投影は、当該プロジェクタの結像光学系１４０（後述する）の下方向への投影（当該プロジェクタの設置面またはこの設置面に近接した水平面等の結像光学系１４０の下側水平投影面への投影に対応）を意味する。また、上記水平方向投影は、当該プロジェクタの結像光学系１４０の水平方向への投影（床または当該プロジェクタの設置面等の水平面に対し垂直に位置する垂直投影面への投影に対応）を意味する。
【００２７】
なお、本実施形態では、当該プロジェクタは、机１０の端部上に立設される。また、当該プロジェクタの図１及び図４にて図示左側、右側、紙面の手前側及び奥側は当該プロジェクタの前側、後側、左側及び右側に相当する。
【００２８】
プロジェクタ本体ＰＪａは、ハウジング部材２０を備えており、このハウジング部材２０は、その底壁２１にて、図１及び図４にて示すごとく、机１０の端部上に立設されている。
【００２９】
ハウジング部材２０は、図２または図５にて拡大して示すごとく、アタッチメントＰＪｂ、ＰＪｃのいずれか１つを組み付けるための段部２０ａを備えており、この段部２０ａは、ハウジング部材２０の前壁側上部にて、底壁２２及び後壁２３でもって、断面Ｌ字形状に形成されている。
【００３０】
プロジェクタ本体ＰＪａは、図１、図２または図７から分かるように、操作パネルＰ、制御ユニットＵ、ランプ９０、照明光学系１００及び透過型液晶パネル１１０（以下、ＬＣＤ１１０ともいう）を備えている。
【００３１】
操作パネルＰは、ハウジング部材２０の外壁の適所に設けられており、当該操作パネルＰは、複数の押動型操作キー（図示しない）の選択的操作のもと、操作出力を制御ユニットＵに入力する。
【００３２】
制御ユニットＵは、図１〜図６にて示すごとく、ハウジング部材２０の胴部内に配設されており、この制御ユニットＵは、図７にて示すごとく、操作パネルＰ、ランプ９０及びＬＣＤ１１０の間に接続されている。
【００３３】
当該制御ユニットＵは、図７にて示すごとく、マイクロコンピュータ３０及び磁気検出器４０ａ、４０ｂを備えている。マイクロコンピュータ３０は、バスラインを介しＣＰＵ、ＲＯＭ及びＲＡＭを接続してなるもので、このマイクロコンピュータ３０は、そのＣＰＵにより、操作パネルＰの操作入力に基づく処理や、磁気検出器４０ａ、４０ｂの各検出信号に基づくアタッチメントの識別情報、アタッチメントに関する情報（例えば、投影方向）の識別処理、この識別処理に基づくランプ駆動回路５０の駆動処理及び出力処理等の種々の処理を行う。
【００３４】
磁気検出器４０ａ、４０ｂは、図１〜図６にて示すごとく、それぞれ、ハウジング部材２０の段部２０ａの後壁２３の下部上下にハウジング部材２０の内側から設けられている。
【００３５】
しかして、磁気検出器４０ａのみが、アタッチメントＰＪｂの磁石１６０（後述する）の存在を検出したとき、ハイレベルにて検出信号を発生する。また、磁気検出器４０ａ、４０ｂは、それぞれ、アタッチメントＰＪｃの磁石２００、２１０（後述する）の存在を検出したとき、それぞれ、ハイレベルにて検出信号を発生する。なお、磁気検出器４０ａが磁石１６０又は２００の存在を検出しないとき、当該磁気検出器４０ａからの検出信号のレベルはローレベルになる。また、磁気検出器４０ｂが磁石２１０の存在を検出しないとき、当該磁気検出器４０ｂからの検出信号のレベルはローレベルになる。なお、磁気検出器４０ａ、４０ｂのうち磁石（磁力）を検出しない方がローレベルの検出信号を発生する（し続ける）のであるが、以後このことは記載を省略する。
【００３６】
映像信号入力回路７０は、映像信号を外部映像機器（図示しない）から入力され、所定の形式に変換して画像処理回路６０に出力する。
【００３７】
画像処理回路６０は、映像信号入力回路７０から所定の信号形式で出力された映像信号を、マイクロコンピュータ３０のＣＰＵによる指令等に基づきＡ−Ｄ変換などの画像データ処理を行い液晶パネル駆動回路８０（以下、ＬＣＤ駆動回路８０ともいう）に出力する。
【００３８】
ＬＣＤ駆動回路８０は、画像処理回路６０からの画像データ処理された出力に基づきＬＣＤ１１０を駆動する。上述した映像信号入力回路７０、画像処理回路６０、ＬＣＤ駆動回路８０等の構成は、一例であって、外部映像機器から出力された映像信号が、マイクロコンピュータ３０のＣＰＵ等の制御回路からの指令にも対応可能で、ＬＣＤ１１０を駆動できるような信号形態に変換されるのであればどの様な構成でもよいことはいうまでもない。
【００３９】
ランプ９０は、マイクロコンピュータ３０のＣＰＵによる制御のもと、ランプ駆動回路５０により点灯駆動されて光を照明光学系１００に出射する。
【００４０】
照明光学系１００は、図１〜図６にて示すごとく、コンデンサレンズ１０１、反射ミラー１０２、リレーレンズ系１０３を備えている。コンデンサレンズ１０１は、ランプ９０から出射される光を集光して反射ミラー１０２に向けて出射する。
【００４１】
反射ミラー１０２は、図１〜図６にて示すごとく、コンデンサレンズ１０１及びリレーレンズ系１０３の双方に対向するように配設されており、当該反射ミラー１０２は、コンデンサレンズ１０１から出射される光を反射してリレーレンズ系１０３に入射させる。
【００４２】
リレーレンズ系１０３は、凹レンズ及び２つの凸レンズからなるもので、このリレーレンズ系１０３においては、上記凹レンズ及び２つの凸レンズは、レンズの中心が光軸上に位置するように、順次配列されている。しかして、当該リレーレンズ系１０３は、反射ミラー１０２からの反射光を平行光としてＬＣＤ１１０に向け出射する。なお、照明光学系１００は光源としてのランプ９０から出射される光を集光して表示手段としてのＬＣＤ１１０に略均一に照射できるものであれば何でもよいので、例えば、反射ミラー１０２を用いず、ランプ９０とＬＣＤ１１０とが直線的に並ぶよう照明光学系１００を構成してもよいし、リレーレンズ系１０３の構成も上記構成に限定されないことはいうまでもない。
【００４３】
ＬＣＤ１１０は、その各表示部位にて、画像処理回路６０の画像データ処理された出力に基づきＬＣＤ駆動回路８０から出力される駆動信号に応じて、照明光学系１００のリレーレンズ系１０３からの出射光のうち透過させる光量を制御して、画像処理回路６０の画像データ処理された出力を映像光として出射する。このことは、ＬＣＤ１１０は、当該映像光をもとに、上記画像データ処理された出力に基づき映像を表示することを意味する。
【００４４】
次に、アタッチメントＰＪｂ、ＰＪｃの構成を、プロジェクタ本体ＰＪａとの関連において、図１〜図６を参照して説明する。
【００４５】
なお、図２、図３、図５及び図６は、便宜上、当該プロジェクタの正面から見て右側面側から見た断面を斜視図で示し後述する爪２５ａ等の各要素の形状も上記斜視図で実際に示される形状で説明しているが、当該プロジェクタは、実際には、その断面を基準として対称的な構成を有する。従って、後述する爪２５ａ、ハウジング部材１２０、係合片１２３及びその係合孔部１２３ａ並びに摺動部１２１ａ（図２及び図３参照）も同様に、その断面を基準として対称的な構成を有する。また、後述するハウジング部材１７０、係合片１７３及びその係合孔部１７３ａ並びに摺動部１７１ａ（図５及び図６参照）も同様に、その断面を基準として対称的な構成を有する。なお、上記プロジェクタが、その断面を基準として、上述のように対称的な構成を有することは必須ではない。
【００４６】
アタッチメントＰＪｂは、図１〜図３にて示すごとく、ハウジング部材１２０を備えている。このハウジング部材１２０は、底壁１２１を有しており、この底壁１２１の左右方向中央部には、摺動部１２１ａが、下方に向け逆Ｔ字状に突出形成されて、段部２０ａの底壁２２の左右方向中央部に逆Ｔ字状に形成した溝部２２ａに沿い摺動可能に外方から嵌装される。
【００４７】
また、当該ハウジング部材１２０は、後壁１２２を有しており、この後壁１２２は、底壁１２１の後端部から上方に延出されている。当該後壁１２２は、円形状開口部１２２ａを形成してなり、この円形状開口部１２２ａは、段部２０ａの後壁２３の円形状開口部２３ａに設けた円環状鍔部２３ｂと嵌合可能に位置している。なお、円形状開口部２３ａは、ＬＣＤ１１０の表示面に対向している。また、円環状鍔部２３ｂは、開口部２３ａの外周縁部から外方へ突出形成されている。
【００４８】
また、当該ハウジング部材１２０は、係合片１２３を有しており、この係合片１２３は、その基端部にて、ハウジング部材１２０の上壁１２４の左右方向中央部上に固着されて、ハウジング部材２０の上壁２５に設けた爪２５ａに向けて延出している。ここで、爪２５ａは、ハウジング部材２０の上壁２５の左右方向中央部に、その前後方向中間部位にて、上方へ突出形成されている。
【００４９】
また、当該係合片１２３は、係合孔部１２３ａを有しており、この係合孔部１２３ａは、係合片１２３にその延出端部側にて形成されて、ハウジング部材２０の爪２５ａと係合可能となっている。
【００５０】
また、当該アタッチメントＰＪｂは、ハウジング部材１２０に内蔵した反射ミラー１３０、結像光学系１４０及び磁石１６０を備えている。なお、結像光学系１４０及び後述する結像光学系１８０、２４０は、それぞれ、投影手段に対応する。
【００５１】
反射ミラー１３０は、図１〜図３にて示すごとく、ハウジング部材１２０内にて、後壁１２２の円形状開口部１２２ａ及び結像光学系１４０の入射側レンズの前側半分部分（図１にて図示左側半分部分）に対向するように配設されている。これにより、この反射ミラー１３０は、開口部２３ａ、１２２ａを通り出射するＬＣＤ１１０からの映像光を入射されて、この映像光を、その光路を下方に向けて折れ曲がるように反射して、結像光学系１４０の入射側レンズの前側半分部分に入射させる。
【００５２】
結像光学系１４０は、図１〜図３にて示すごとく、複数のレンズからなるもので、この結像光学系１４０においては、当該複数のレンズが、上記入射側レンズから出射側レンズにかけて、それぞれ、レンズの中心が光軸上に位置するように、反射ミラー１３０の反射方向に順次配列されている。
【００５３】
ここで、当該結像光学系１４０は、その出射側レンズの前側半分部分にて、ハウジング部材１２０の底壁１２１の投影口部１２５を通し下方を臨んでいる。これにより、当該結像光学系１４０は、その入射側レンズの前側半分部分にて、反射ミラー１３０から反射映像光を入射されて上記出射側レンズの前側半分部分から下方に向けて出射する。このことは、当該プロジェクタが、アタッチメントＰＪｃでもって、上記下方向投影（上記下側水平投影面への投影に対応）の状態におかれることを意味する。
【００５４】
磁石１６０は、図１〜図３にて示すごとく、後壁１２２、２３の各下部を介し磁気検出器４０ｂに対向し得るように、ハウジング部材１２０内にてその後壁１２２の下部に設けられている。
【００５５】
アタッチメントＰＪｃは、図４〜図６にて示すごとく、ハウジング部材１７０を備えている。このハウジング部材１７０は、底壁１７１を有しており、この底壁１７１の左右方向中央部には、摺動部１７１ａが、図５及び図６にて示すごとく、下方に向け逆Ｔ字状に形成されて、段部２０ａの逆Ｔ字状溝部２２ａに沿い摺動可能に外方から嵌装される。
【００５６】
また、当該ハウジング部材１７０は、後壁１７２を有しており、この後壁１７２は、底壁１７１の後端部から上方へ延出されている。当該後壁１７２は、円形状開口部１７２ａを形成してなり、この円形状開口部１７２ａは、上述した段部２０ａの後壁２３の円環状鍔部２３ｂと嵌合可能に位置している。
【００５７】
また、当該ハウジング部材１７０は、係合片１７３を有しており、この係合片１７３は、その基端部にて、ハウジング部材１７０の上壁１７４の左右方向中央部上に固着されて、上述したハウジング部材２０の爪２５ａに向けて延出している。当該係合片１７３は、係合孔部１７３ａを有しており、この係合孔部１７３ａは、係合片１７３にその延出端部側にて形成されて、ハウジング部材２０の爪２５ａと係合可能となっている。
【００５８】
また、当該アタッチメントＰＪｃは、ハウジング部材１７０に内蔵した結像光学系１８０及び磁石２００、２１０を備えている。
【００５９】
結像光学系１８０は、図４〜図６にて示すごとく、複数のレンズからなるもので、この結像光学系１８０において、当該複数のレンズは、ハウジング部材１７０内にて、入射側レンズから出射側レンズにかけて、各レンズの中心が光軸上に位置するように、後壁１７２の開口部１７２ａ側から投影口部１７５ａ側に向け順次配列されている。
【００６０】
ここで、当該複数のレンズの入射側レンズは、その上側半分部分にて、後壁１７２の開口部１７２ａ及び段部２０ａの開口部２３ａを通しＬＣＤ１１０に対向するように位置している。なお、投影口部１７５ａは、ハウジング部材１７０の前壁１７５に形成されている。
【００６１】
このように構成した結像光学系１８０は、その入射側レンズの上側半分部分にて、ＬＣＤ１１０から映像光を入射されて上記出射側レンズの上側半分部分から投影口部１７５ａを通し前方に向けて出射する。このことは、当該プロジェクタが、アタッチメントＰＪｃでもって、上記水平方向投影（上記垂直投影面への投影に対応）の状態におかれることを意味する。
【００６２】
磁石２００、２１０は、図４〜図６にて示すごとく、ハウジング部材１７０の後壁１７２及び段部２０ａの後壁２３の各下部を介し上述した磁気検出器４０ａ、４０ｂにそれぞれ対向し得るように、ハウジング部材１７０内にてその後壁１７２の下部に上下に設けられている。
【００６３】
このように構成した本実施形態において、当該プロジェクタが、プロジェクタ本体ＰＪａ及びアタッチメントＰＪｂでもって構成される場合と、プロジェクタ本体ＰＪａ及びアタッチメントＰＪｃでもって構成される場合とに分けて説明する。
１．当該プロジェクタがプロジェクタ本体ＰＪａ及びアタッチメントＰＪｂでもって構成される場合
アタッチメントＰＪｂのプロジェクタ本体ＰＪａに対する組み付けは次のようにして行う。
【００６４】
まず、プロジェクタ本体ＰＪａを図１にて示すごとく机１０の端部上に立設する。このとき、当該プロジェクタ本体ＰＪａは、段部２０ａの後壁２３にて、前方に向くように立設される。
【００６５】
然る後、アタッチメントＰＪｂを、そのハウジング部材１２０にて、プロジェクタ本体ＰＪａの段部２０ａに対し図２にて示すごとく位置するように把持する。このような状態において、ハウジング部材１２０の逆Ｔ字状摺動部１２１ａを、段部２０ａの底壁２２の逆Ｔ字状溝部２２ａに嵌装させる。ついで、当該ハウジング部材１２０を、底壁１２１にて、段部２０ａの底壁２２上に沿い後壁２３に向け案内する。
【００６６】
これに伴い、ハウジング部材１２０の係合片１２３が、ハウジング部材２０の上壁２５の左右方向中央部に沿い変位する。これに伴い、当該係合片１２３の延出端部が、その弾力によってハウジング部材２０の爪２５ａに沿い湾曲した後、係合孔部１２３ａが、ハウジング部材２０の爪２５ａに係合する。このとき、ハウジング部材１２０は、その後壁１２２にて段部２０ａの後壁２３に当接する。
【００６７】
これにより、アタッチメントＰＪｂは、容易に、プロジェクタ本体ＰＪａの段部２０ａ内にしっかりと組み付け固定される（図１及び図３参照）。
【００６８】
このような組み付け状態になったとき、アタッチメントＰＪｂは、その投影口部１２５にて、机１０上のスクリーンＳａ（図１参照）に対向する。このことは、当該プロジェクタは、そのアタッチメントＰＪｂでもって、上記下方向投影を行う状態にあることを意味する。なお、ここでは、当該下方向投影は、アタッチメントＰＪｂの結像光学系１４０の下側水平投影面、即ち机１０の上面上のスクリーンＳａに投影することをいう。
【００６９】
このような段階において、制御ユニットＵが作動状態におかれると、マイクロコンピュータ３０は、そのＣＰＵでもって、操作パネルＰの操作入力に基づく処理、映像信号入力回路７０からの映像信号の入力に伴う処理、及び上記磁気検出器４０ｂ等の検出信号に基づくアタッチメントＰＪｂの識別処理等の種々の処理を行う。
【００７０】
以上のような処理のもと、ランプ９０がランプ駆動回路５０により駆動されると、当該ランプ９０は、点灯して、光を、照明光学系１００を通しＬＣＤ１１０に入射する。
【００７１】
また、ＬＣＤ１１０が、画像処理回路６０の画像データ処理された出力に基づきＬＣＤ駆動回路８０により駆動されると、このＬＣＤ１１０は、照明光学系１００からの入射光に基づき、映像を映像光として反射ミラー１３０に向けて出射する。これに伴い、当該映像光は、反射ミラー１３０により反射されて結像光学系１４０の入射レンズの前側半分部分に入射する。
【００７２】
すると、この結像光学系１４０は、その入射側レンズの前側半分部分に入射した映像光を上記出射側レンズの前側半分部分から投影口部１２５を通してスクリーンＳａ上に投光する。このことは、当該プロジェクタが、ＬＣＤ１１０の表示映像をスクリーンＳａ上に投影することで、上述した下方向投影を行うことを意味する。
【００７３】
ここで、上述のように磁気検出器４０ｂのみがアタッチメントＰＪｂの磁石１６０の存在を検出してハイレベルにて検出信号を発生すると、マイクロコンピュータ３０は、そのＣＰＵでもって、当該検出信号等に基づき、アタッチメントＰＪｂを識別する処理を行う。この処理で識別されるアタッチメントはアタッチメントＰＪｂであることから、ランプ９０の出射光量が、後述のようなアタッチメント−光量データに基づき所定の低輝度光量に設定される。
【００７４】
本実施形態では、上記アタッチメント−光量データは、次のような理由でもって導入されている。即ち、上述のように識別されたアタッチメントがアタッチメントＰＪｂであるときには、上述した下方向投影であることから、投影口部１２５からスクリーンＳａまでの投影距離が短い。このため、スクリーンＳａ上の表示映像の明るさは、十分に余裕があり、時として過度になりがちであることから、当該表示映像の輝度を見易いように低くすることが望ましい。また、このように低輝度に設定すれば、適切な明るさの中で電力消費を抑制することもできる。
【００７５】
また、後述するように識別アタッチメントがアタッチメントＰＪｃであるときには、上述した水平方向投影であることから、投影口部１７５ａからスクリーンＳｂ（図４参照）までの投影距離が長い。このため、スクリーンＳｂ上の表示映像の明るさが不足しがちであることから、当該表示映像の輝度を見易いように高くすることが望ましい。
【００７６】
そこで、上記アタッチメント−光量データは、以上述べた理由のもとに、識別アタッチメントがアタッチメントＰＪｂであるときには、ランプ９０の出射光量を所定の低輝度光量に減少させ、また、識別アタッチメントがアタッチメントＰＪｃであるときには、ランプ９０の出射光量を所定の高輝度光量に増加させるように定められて、マイクロコンピュータ３０のＲＯＭに予め記憶されている。
【００７７】
従って、上述のようにランプ９０の出射光量が上記所定の低輝度光量に設定されると、ランプ駆動回路５０が、マイクロコンピュータ３０によりそのＣＰＵでもって制御されて、ランプ９０の出射光量を上記所定の低輝度光量にするように当該ランプ９０を駆動する。
【００７８】
このため、ランプ９０の出射光量が上記所定の低輝度光量に減少され、結像光学系１４０からスクリーンＳａ上に投光される光の輝度が低下する。その結果、アタッチメントＰＪｂの投影口部１２５からスクリーンＳａまでの投影距離が短くても、ＬＣＤ１１０の表示映像は、低輝度にてスクリーンＳａに投影され、見易い映像となるとともに、省電力にも役立つ。
２．当該プロジェクタがプロジェクタ本体ＰＪａ及びアタッチメントＰＪｃでもって構成される場合
アタッチメントＰＪｃのプロジェクタ本体ＰＪａに対する組み付けは次のようにして行う。
【００７９】
まず、上述と同様に、プロジェクタ本体ＰＪａを、図４にて示すごとく、段部２０ａの後壁２３にて前方に向くように机１０の端部上に立設する。
【００８０】
然る後、アタッチメントＰＪｃを、そのハウジング部材１７０にて、プロジェクタ本体ＰＪａの段部２０ａに対し図５にて示すごとく位置するように把持する。このような状態において、ハウジング部材１７０の摺動部１７１ａを段部２０ａの底壁２２の溝部２２ａに嵌装させる。ついで、当該ハウジング部材１７０を、底壁１７１にて、段部２０ａの底壁２２上に沿い後壁２３に向け案内する。
【００８１】
これに伴い、ハウジング部材１７０の係合片１７３が、ハウジング部材２０の上壁２５の左右方向中央部に沿い変位する。そして、当該係合片１７３の延出端部が、その弾力によってハウジング部材２０の爪２５ａに沿い湾曲した後、係合孔部１７３ａが、ハウジング部材２０の爪２５ａに係合する。このとき、ハウジング部材１７０は、その後壁１７２にて、段部２０ａの後壁２３に当接する。
【００８２】
これにより、アタッチメントＰＪｃは、容易に、プロジェクタ本体ＰＪａの段部２０ａ内にしっかりと組み付け固定される（図４及び図６参照）。
【００８３】
このような組み付け状態になったとき、アタッチメントＰＪｃは、その投影口部１７５ａにて、スクリーンＳｂ（図４参照）に対向する。このことは、当該プロジェクタは、そのアタッチメントＰＪｃでもって、上記水平方向投影を行う状態にあることを意味する。
【００８４】
また、上述のようにアタッチメントＰＪｃがプロジェクタ本体ＰＪａに組み付けられたとき、磁気検出器４０ａ、４０ｂが、それぞれ、アタッチメントＰＪｃの磁石２００、２１０の存在を検出し、ハイレベルにて検出信号を発生する。
【００８５】
このような段階において、上述と同様のマイクロコンピュータ３０によるコンピュータプログラムの実行のもと、ランプ９０がランプ駆動回路５０により駆動されて光を出射し照明光学系１００を通しＬＣＤ１１０に入射すれば、このＬＣＤ１１０が、画像処理回路６０の画像データ処理された出力に基づきＬＣＤ駆動回路８０により駆動されて、照明光学系１００からの入射光のもと、映像を映像光として結像光学系１８０の入射側レンズの上側半分部分に向けて出射する。これに伴い、この結像光学系１８０は、その入射側レンズの上側半分部分に入射した映像光を上記出射側レンズの上側半分部分から投影口部１７５ａを通してスクリーンＳｂ上に投光することで、上述した水平方向投影を行う。
【００８６】
ここで、上述のように磁気検出器４０ａ、４０ｂが、それぞれ、アタッチメントＰＪｂの磁石２００、２１０の存在を検出して、ハイレベルにて検出信号を発生すると、マイクロコンピュータ３０が、そのＣＰＵでもって、磁気検出器４０ａ、４０ｂからの各検出信号に基づき、アタッチメントＰＪｃを識別する処理を行う。ここで、このようにして識別されるアタッチメントがアタッチメントＰＪｃであることから、ランプ９０の出射光量が、上述したアタッチメント−光量データに基づき所定の高輝度光量に設定される。
【００８７】
これに伴い、ランプ駆動回路５０が、マイクロコンピュータ３０により制御されて、ランプ９０の出射光量を上記所定の高輝度光量にするように当該ランプ９０を駆動する。
【００８８】
このため、ランプ９０の出射光量が上記所定の高輝度光量に増加され、結像光学系１８０からスクリーンＳｂ上に投光される光の輝度が高くなる。その結果、アタッチメントＰＪｂの投影口部とスクリーンＳｂとの間の投影距離が長くても、ＬＣＤ１１０の表示映像は、高輝度にてスクリーンＳｂに投影され、見易い映像となる。
【００８９】
以上説明したように、プロジェクタ本体ＰＪａの他に、上記下方向投影用アタッチメントＰＪｂ及び上記水平方向投影用アタッチメントＰＪｃを採用し、アタッチメントＰＪｂ、ＰＪｃのいずれか一方をプロジェクタ本体ＰＪａに上述のごとく組み付けて当該プロジェクタを構成するようにした。
【００９０】
これにより、プロジェクタ本体ＰＪａの配設位置をそのまま維持しても、当該プロジェクタ本体ＰＪａに組み付けるアタッチメントを適宜選択することで、プロジェクタによる投影状態を上記下方向投影及び上記水平方向投影のいずれかに簡単に設定できる。
【００９１】
また、マイクロコンピュータ３０は、磁気検出器４０ａ、４０ｂの各検出信号に基づきランプ９０の光量を自動的に制御する。これにより、ランプ９０の光量が、プロジェクタ本体ＰＪａに組み付けられた識別アタッチメントの投影方向に適した投影映像に過不足なき輝度をもたらすように調整される。その結果、上述した下方向投影及び水平方向投影のいずれでもあってもスクリーン上の投影映像が、良好な明るさにて視認され得る。
【００９２】
次に、上記実施形態の変形例について図８を参照して説明すると、この変形例では、上記プロジェクタにおいて、上方向投影用のアタッチメントＰＪｄが、上記アタッチメントＰＪｂ、ＰＪｃの他に、採用されている。本変形例において、上記上方向投影は、当該プロジェクタの結像光学系２４０（後述する）の上方向への投影（当該プロジェクタの天井等の上側の水平面への投影に対応）を意味する。
【００９３】
以下、当該アタッチメントＰＪｄの構成につきプロジェクタ本体ＰＪａとの関連において説明する。
【００９４】
このアタッチメントＰＪｄは、図８にて示すごとく、ハウジング部材２２０を備えている。このハウジング部材２２０は、底壁２２１を有しており、この底壁２２１の左右方向中央部には、摺動部２２１ａが、下方に向け逆Ｔ字状に形成されて、ハウジング部材２０の段部２０ａの逆Ｔ字状溝部２２ａに沿い摺動可能に外方から嵌装される。
【００９５】
また、当該ハウジング部材２２０は、後壁２２２を有しており、この後壁２２２は、底壁２２１の後端部から段部２０ａの後壁上端部よりも上方へ延出されている。当該後壁２２２は、円形状開口部２２２ａを形成してなり、この円形状開口部２２２ａは、段部２０ａの後壁２３の円環状鍔部２３ｂと嵌合可能に位置している。
【００９６】
また、当該ハウジング部材２２０は、係合片２２３を有しており、この係合片２２３は、その基端部にて、ハウジング部材２２０の後壁２２２の上側部位に固着されて、上述したハウジング部材２０の爪２５ａに向けて延出している。
【００９７】
当該係合片２２３は、四角形状の係合孔部２２３ａを有しており、この係合孔部２２３ａは、係合片２２３にその延出端部側にて形成されて、ハウジング部材２０の爪２５ａと係合可能となっている。
【００９８】
また、当該アタッチメントＰＪｄは、ハウジング部材２２０に内蔵した反射ミラー２３０、結像光学系２４０及び磁石２５０を備えている。
【００９９】
反射ミラー２３０は、図８にて示すごとく、ハウジング部材２２０内にて、後壁２２２の円形状開口部２２２ａ及び結像光学系２４０の入射側レンズの前側半分部分（図８にて図示左側半分部分）に対向するように配設されている。これにより、この反射ミラー２３０は、開口部２３ａ、２２２ａを通り出射されるＬＣＤ１１０から映像光を入射されて、当該映像光を、その光路を上方に向け折れ曲げるように反射して、結像光学系２４０の入射側レンズの前側半分部分に入射させる。
【０１００】
結像光学系２４０は、図８にて示すごとく、複数のレンズからなるもので、この結像光学系２４０において、当該複数のレンズは、上記入射側レンズから出射側レンズにかけて、それぞれ、レンズの中心が光軸上に位置するように、反射ミラー２３０の反射方向に順次配列されている。
【０１０１】
ここで、当該結像光学系２４０は、その出射側レンズの前側半分部分にて、ハウジング部材２２０の上壁２２４の投影口部２２５を通し上方を臨んでいる。これにより、当該結像光学系２４０は、その入射側レンズの前側半分部分にて、反射ミラー２３０から反射映像光を入射されて上記出射側レンズの前側半分部分から上方に向けて出射する。このことは、当該プロジェクタが、アタッチメントＰＪｄでもって、上述した上方向投影の状態におかれることを意味する。
【０１０２】
磁石２５０は、図８にて示すごとく、後壁２２２、２３の各下部を介し磁気検出器４０ａに対向し得るように、ハウジング部材２２０内にてその後壁２２２の下部に設けられている。これにより、磁気検出器４０ａは、アタッチメントＰＪｄの段部２０ａへの組み付けに伴い、磁石２５０の存在を検出して、ハイレベルにて検出信号を発生する。その他の構成は上記第１実施形態と同様である。
【０１０３】
このように構成した本変形例において、アタッチメントＰＪｄのプロジェクタ本体ＰＪａに対する組み付けは次のようにして行う。
【０１０４】
上述と同様に、プロジェクタ本体ＰＪａを、段部２０ａの後壁２３にて、前方に向くように机１０の端部上に立設した状態において、アタッチメントＰＪｄを、そのハウジング部材２２０にて把持し、ハウジング部材２２０の逆Ｔ字状摺動部２２１ａを段部２０ａの逆Ｔ字状溝部２２ａに嵌装させる。ついで、当該ハウジング部材２２０を、底壁２２１にて、段部２０ａの底壁２２に沿い後壁２３に向け案内する。
【０１０５】
これに伴い、ハウジング部材２２０の係合片２２３が、ハウジング部材２０の上壁２５の左端部に沿い湾曲する。そして、当該係合片２２３の延出端部が、その弾力によってハウジング部材２０の爪２５ａの前壁に沿い湾曲した後、係合孔部２２３ａが、ハウジング部材２０の爪２５ａに係合する。このとき、ハウジング部材２２０は、その後壁２２２にて段部２０ａの後壁２３に当接する。
【０１０６】
これにより、アタッチメントＰＪｄは、容易に、プロジェクタ本体ＰＪａの段部２０ａ内にしっかりと組み付け固定される（図８参照）。
【０１０７】
このような組み付け状態になったとき、アタッチメントＰＪｄは、その投影口部２２５にて、天井のスクリーンＳｃに対向する。このことは、当該プロジェクタは、そのアタッチメントＰＪｄでもって、上述した上方向投影を行う状態にあることを意味する。
【０１０８】
また、上述のようにアタッチメントＰＪｄがプロジェクタ本体ＰＪａに組み付けられたとき、磁気検出器４０ａのみがアタッチメントＰＪｄの磁石２５０の存在を検出して、ハイレベルにて検出信号を発生する。
【０１０９】
このような段階において、上記実施形態にて述べたと同様のマイクロコンピュータ３０によるコンピュータプログラムの実行のもと、ランプ９０がランプ駆動回路５０により駆動されて光を出射し照明光学系１００を通しＬＣＤ１１０に入射すれば、このＬＣＤ１１０が、画像処理回路６０の画像データ処理された出力に基づきＬＣＤ駆動回路８０により駆動されて、照明光学系１００からの入射光のもと、映像を映像光として結像光学系２４０の入射側レンズの前側半分部分に向けて出射する。
【０１１０】
これに伴い、この結像光学系２４０は、その入射側レンズの前側半分部分に入射した映像光を上記出射側レンズの前側半分部分から投影口部２２５を通してスクリーンＳｃ上に投光することで、上述した上方向投影を行う。なお、ここでは、当該上方向投影は、アタッチメントＰＪｄの結像光学系２４０の上側に水平に位置する投影面、即ち天井面上のスクリーンＳｃ（図８参照）に投影することをいう。
【０１１１】
しかして、上述のように磁気検出器４０ａのみがアタッチメントＰＪｄの磁石２５０の存在を検出して、ハイレベルにて検出信号を発生すると、マイクロコンピュータ３０は、そのＣＰＵでもって、当該検出信号等に基づき、アタッチメントＰＪｄを識別する処理を行う。ここで、このようにして識別されるアタッチメントがアタッチメントＰＪｄであることから、ランプ９０の出射光量が、上述したアタッチメント−光量データに基づき所定の高輝度光量に設定される。
【０１１２】
なお、本変形例では、当該アタッチメント−光量データにおける所定の高輝度光量を用いることとしたのは、上記上方向投影における投影口部２２５とスクリーンＳｃとの間の投影距離は、上記実施形態にて述べた水平方向投影における投影口部１７５ａとスクリーンＳｂとの間の投影距離と同様に長いことが一般的であるからである。
【０１１３】
上述のような出射光量の設定に伴い、ランプ駆動回路５０が、マイクロコンピュータ３０によりそのＣＰＵでもって制御されて、ランプ９０の出射光量を上記所定の高輝度光量にするように当該ランプ９０を駆動する。
【０１１４】
このため、ランプ９０の出射光量が上記所定の高輝度光量に増加され、結像光学系２４０からスクリーンＳｃ上に投光される光の輝度が高くなる。その結果、投影口部２２５とスクリーンＳｃとの間の投影距離が長くても、ＬＣＤ１１０の表示映像は、高輝度にてスクリーンＳｃに投影され、見易い映像となる。
【０１１５】
以上説明したように、本変形例では、上記実施形態にて述べたプロジェクタ本体ＰＪａ、下方向投影用アタッチメントＰＪｂ及び水平方向投影用アタッチメントＰＪｃに加え、上述した上方向投影用のアタッチメントＰＪｄを採用してプロジェクタ本体ＰＪａに上述のごとく組み付けて当該プロジェクタを構成するようにした。
【０１１６】
これにより、プロジェクタ本体ＰＪａの配設位置をそのまま維持しても、当該プロジェクタ本体ＰＪａに組み付けるアタッチメントとして、上述の上方向投影用のアタッチメントＰＪｄを選択することで、当該プロジェクタによる投影方向を上記下方向投影及び上記水平方向投影に加えて、上記上方向投影にも簡単に設定できる。
【０１１７】
また、マイクロコンピュータ３０は、そのＣＰＵでもって、磁気検出器４０ａ、４０ｂの各検出信号に基づきランプ９０の光量を自動的に制御する。これにより、ランプ９０の光量が、プロジェクタ本体ＰＪａに組み付けられた識別アタッチメントの投影方向に適した投影映像に過不足なき輝度をもたらすように調整される。その結果、上記下方向投影及び水平方向投影のほか、上記上方向投影であってもスクリーン上の投影映像が、良好な明るさにて視認され得る。
【０１１８】
なお、本発明の実施にあたり、上記実施形態や変形例に限ることなく、次のような種々の変形例が挙げられる。
（１）本発明に係るプロジェクタにおいては、下方向投影用アタッチメントＰＪｂ、水平方向投影用アタッチメントＰＪｃまたは上方向投影用アタッチメントＰＪｄを採用することに限らず、任意の投影方向に投影する複数のアタッチメントを採用してもよい。例えば、斜め上方向または斜め下方向に対応する投影面に向け投影できるアタッチメントを採用してもよい。
【０１１９】
また、投影方向を上下に切り換えられるアタッチメントに限らず、プロジェクタ本体の向きを変えず、水平方向に所定角度回転させた方向に設定される投影面に向け投影できるアタッチメントを採用してもよい。
【０１２０】
また、投影方向は、プロジェクタ本体の仕様に限定されるものではないので、ユーザーの要望などに応じ、既存のプロジェクタ本体に組み付けられ、新規の投影方向に投影できるアタッチメントを、単体で追加していくこともできる。同様の理由で、ユーザーなどの要望に応じて、既存のアタッチメントを組み付けできる設置方法などの異なる新規のプロジェクタ本体のみを追加していくこともできる。
（２）上記実施形態にて述べた磁気検出器４０ａ、４０ｂの具体例としては、ホール素子または磁気抵抗素子等が挙げられる。また、上記実施形態では、アタッチメントを識別するための手段として磁気検出器４０ａ、４０ｂを備えているが、磁気検出器４０ａ、４０ｂに限ることなく、例えば、発光素子及び受光素子を有してなる光検出素子を採用してもよい。
【０１２１】
この場合、アタッチメントＰＪｂ、ＰＪｃ、ＰＪｄの各磁石に代えて、当該光検出素子の発光素子をプロジェクタ本体側に設け、アタッチメント側に、受光素子、例えば、バーコードのような当該発光素子からの光の反射を位置毎に制御する素子を設けて、アタッチメントのプロジェクタ本体に対する組み付けに伴う当該光検出素子の検出出力に応じて当該アタッチメントを識別するようにしてもよい。また、光の反射部分の形状を変えてもよい。
【０１２２】
また、プロジェクタ本体側に機械的スイッチを設け、アタッチメント側のスイッチに対応する部分の形状でスイッチのオンオフを切り換えてアタッチメントを識別してもよい。
（３）当該プロジェクタは、机面上に置いたり固定されて使用される卓上型に限ることなく、例えば、天井につり下げ固定されるつり下げ型であってもよいし、床に略垂直な面に引っかけたり、固定されたりして利用される壁掛け型であってもよい。
（４）上述のように識別されたアタッチメントを、別途設けたＬＣＤ上に表示することやＬＥＤなどの点灯でもって表示することその他各種報知手段でもって報知するようにしてもよい。同時に、アタッチメントＰＪｂ、アタッチメントＰＪｃまたはアタッチメントＰＪｄの組み付け状態をも検出し、検出されたアタッチメントの組み付け状態として組み付け完了を検出し、初めてプロジェクタの電源投入を可能としてもよい。
（５）上記アタッチメント−光量データに代えて、アタッチメント−投影方向データやアタッチメント−投影倍率データを採用してもよい。
【０１２３】
ここで、アタッチメント−投影方向データは、識別されたアタッチメントＰＪｂ、ＰＪｃおよびＰＪｄのいずれかと当該識別アタッチメントに対応する投影方向との関係を表すデータでもって特定される。また、アタッチメント−投影倍率データは、識別されたアタッチメントＰＪｂ、ＰＪｃおよびＰＪｄのいずれかと当該識別アタッチメントに対応する投影倍率との関係を表すデータでもって特定される。
【０１２４】
しかして、上述したアタッチメント−投影方向データやアタッチメント−投影倍率データをマイクロコンピュータ３０のＲＯＭに予め記憶させておいて、当該アタッチメント−投影方向データやアタッチメント−投影倍率データに基づいて決まる投影方向や投影倍率を上述した別途のＬＣＤでもって表示するようにしてもよい。これによれば、ランプ９０の点灯に先だって、利用者が投影方向または投影倍率を確認し得るため、アタッチメント装着のミスに素早く対処でき、所望のアタッチメントの装着を素早く行うことができる。
（６）上記実施形態にて述べた反射ミラー及びこの反射ミラーに対応して設けられる結像光学系を、ＬＣＤ１１０から出射される映像光の光軸に対し、適切な角度または位置に設置すれば、種々の方向に投影できるアタッチメントを容易に供給できる。
（７）マイクロコンピュータ３０は、そのＣＰＵにより、磁気検出器４０ａ、４０ｂの各検出信号に基づいてアタッチメントの識別またはアタッチメントに関する情報の識別を行う前に、当該アタッチメントの組み付け完了を識別するようにしてもよい。
（８）プロジェクタ本体ＰＪａの段部２０ａの底壁２２に形成した溝部２２ａは、当該底壁２２の左右方向中央部に限らず、例えば、底壁２２の左右両側部にそれぞれ形成するようにしてもよい。なお、これにあわせて、アタッチメントＰＪｂ、ＰＪｃまたはＰＪｄの底壁１２１、１７１または２２１に形成した摺動部１２１ａ、１７１ａまたは２２１ａは、当該底壁の左右方向中央部ではなく、この底壁の左右両側部に形成するようにする。
（９）プロジェクタ本体ＰＪａのハウジング部材２０の上壁２５に設けた爪２５ａは、当該上壁２５の左右方向中央部に限らず、当該上壁２５の左右両側部にそれぞれ設けるようにしてもよい。なお、これにあわせて、アタッチメントＰＪｂ、ＰＪｃまたはＰＪｄの上壁に形成した係合片１２３、１７３または２２３は、当該上壁の左右方向中央部ではなく、この上壁の左右両側部にそれぞれ形成するようにする。
【図面の簡単な説明】
【０１２５】
【図１】本発明に係る卓上型プロジェクタの一実施形態を、プロジェクタ本体に下方向投影用アタッチメントを組み付けた状態で示す概略断面図である。
【図２】上記実施形態を、プロジェクタ本体に下方向投影用アタッチメントを組み付ける前の状態で示す概略断面斜視図である。
【図３】上記実施形態を、プロジェクタ本体に下方向投影用アタッチメントを組み付けた状態で示す概略断面斜視図である。
【図４】上記実施形態を、プロジェクタ本体に水平方向投影用アタッチメントを組み付けた状態で示す概略断面図である。
【図５】上記実施形態を、プロジェクタ本体に水平方向投影用アタッチメントを組み付ける前の状態で示す概略断面斜視図である。
【図６】上記実施形態を、プロジェクタ本体に水平方向投影用アタッチメントを組み付けた状態で示す概略断面斜視図である。
【図７】上記実施形態におけるブロック回路図である。
【図８】上記実施形態の変形例を示す概略断面図である。
【符号の説明】
【０１２６】
ＰＪａ…プロジェクタ本体、ＰＪｂ…下方向投影用アタッチメント、
ＰＪｃ…水平方向投影用アタッチメント、ＰＪｄ…上方向投影用アタッチメント、
Ｕ…制御ユニット、２０、１２０、１７０、２２０…ハウジング部材、
３０…マイクロコンピュータ、４０ａ、４０ｂ…磁気検出器、５０…ランプ駆動回路、
９０…ランプ、１００…照明光学系、１１０…ＬＣＤ、
１４０、１８０、２４０…結像光学系、１６０、２００、２１０、２５０…磁石。
【図１】
2007041178.tif 000003
【図２】
2007041178.tif 000004
【図３】
2007041178.tif 000005
【図４】
2007041178.tif 000006
【図５】
2007041178.tif 000007
【図６】
2007041178.tif 000008
【図７】
2007041178.tif 000009
【図８】
2007041178.tif 000010